(57)【要約】      （修正有）【課題】筒体から容易に切離できる表示片を有し、表示片が切離された箱体でも被包装物の保管を良好に行うことができる表示カード付き包装箱を提供する。【解決手段】箱体形成片１２は、順番に連接された側面板１４，１６，１８，２０と、第一側面板２０の連接方向の端部に延設された糊付け片２２と、糊付け片２２の連接方向の端部に、第一破断線７８を介して延設された表示片７６とを備える。表示片７６は、第二破断線８４で本体部７６ｂと区切られた切り取り部７６ａを有し、本体部７６ｂ及び切り取り部７６ａに、それぞれ被包装物に関する情報が表示される。組み立て状態で、糊付け片２２は、第二側面板１４の表面に糊付けされ、側面板１４，１６，１８，２０により筒体を形成する。表示片７６は、第二側面板１４の表面に重ねられ、切り取り部７６ａの裏面が第二側面板１４の表面に糊付けされる。【選択図】図２
0003206200.tif 000002
【実用新案登録請求の範囲】
【請求項１】
一枚の箱体形成片から成り、前記箱体形成片は、互いに平行に連接された複数の側面板と、前記複数の側面板の中の端に位置する第一側面板の連接方向の端部に延設された糊付け片と、前記糊付け片の連接方向の端部に、第一破断線を介して延設された表示片とを有し、
前記表示片は、第二破断線で本体部と区切られて設けられた切り取り部を有し、前記本体部及び前記切り取り部に、それぞれ被包装物に関する情報が表示され、
組み立て状態で、前記糊付け片は、前記複数の側面板の中の一側面板の表面に糊付けされ、前記複数の側面板が筒体を形成し、前記表示片は、前記複数の側面板の中の１つである第二側面板の表面に重ねられ、前記切り取り部の裏面が前記第二側面板の表面に糊付けされ、
前記第一及び第二破断線を破断させ、前記表示片の前記本体部を前記筒体から切り離すことにより、前記本体部を表示カードとして使用できることを特徴とする表示カード付き包装箱。
【請求項２】
前記表示片の本体部及び切り取り部の双方に、少なくとも被包装物に関する共通の情報が表示されている請求項１記載の表示カード付き包装箱。
【請求項３】
前記表示片の本体部の端部には、前記筒体の一方の開口部を超えて突出する摘み部が、折罫線を介して設けられている請求項１又は２記載の表示カード付き包装箱。
【考案の詳細な説明】
【技術分野】
【０００１】
本考案は、箱体の一部を切り離すことによって、被包装物に関する情報を表示した表示カードが得られる表示カード付き包装箱に関する。
【背景技術】
【０００２】
医薬品や食品等の商品を収容する包装箱には、商品名、内容説明、使用方法、使用期限、製造番号等の複数の情報が表示される。
【０００３】
例えば、商品がＰＴＰシートに入った医薬品の場合、病院等では、入荷した複数種類の医薬品を包装箱から取り出し、それぞれＰＴＰシートの状態で調剤棚に収納して保管されることが多い。そこで、各ＰＴＰシートを包装箱に印刷された情報に対応づけて保管するため、包装箱の特定の部分（必要な情報が印刷されている部分）を切り取り、ＰＴＰシートに添付して保管したり、調剤棚に貼り付けて表示したりすることが行われている。
【０００４】
従来、例えば特許文献１に開示されているように、被包装物に関する必要な情報を印刷した部分を設け、カード片として切り離し可能にした包装用箱があった。この包装用箱は、一枚の箱体形成片から成り、箱体形成片には、互いに平行に連接された側面と、側面同士を糊付けして筒体に組み立てる糊付け片と、糊付け片の連接方向の端部に破断線を介して連接して設けられている第１カード片が設けられている。第１カード片は一側面の裏面に重ねられ、第１カード片が重ねられる側面には、第１カード片の表面に糊付けされた第２カード片が破断線で囲まれて設けられている。第２カード片は前記第１カード片よりも小形であり、第２カード片には、外から読み取ることができるバーコードや簡単な情報が表示され、第１カード片には、使用者が詳しく読むための詳しい情報が印刷されている。第一及び第二カード片は、上記２つの破断線を破断することによって筒体から一体に切り離すことができ、切り離した部分を調剤棚の表示カードとして使用することができる。
【先行技術文献】
【特許文献】
【０００５】
【特許文献１】登録実用新案第３１７２６４９号公報
【考案の概要】
【考案が解決しようとする課題】
【０００６】
特許文献１の包装用箱は、開封して医薬品をすべて取り出し、その後、すぐに箱体が廃棄されるような使い方に適しているが、第一及び第二カード片を箱体から切り離した後の箱体で、残りの医薬品を保管するという使い方には適していない。
【０００７】
例えば、第一及び第二カード片が箱体から切り離されると、箱体の側面は、第二カード片がなくなった部分が開口し、ゴミ等が侵入しやすくなってしまう。また、一般に、箱体に表示されるバーコードには、被包装物の識別情報以外に、包装箱毎に付与される情報、すなわち被包装物の固有情報（製造番号、製造時期、使用期限等）が含まれる。しかし、特許文献１の包装用箱の場合、第一及び第二カード片が切り離されると、残った箱体には被包装物の固有情報が表示されなくなる。したがって、特許文献１の包装用箱は、第一及び第二カード片を箱体から切り離した後、その箱体で医薬品の一部を保管するという使い方は適さないものであった。
【０００８】
本考案は、上記背景技術に鑑みて成されたものであり、筒体から容易に切離できる表示片を有し、表示片が切離された箱体でも被包装物の保管を良好に行うことができる表示カード付き包装箱を提供することを目的とする。
【課題を解決するための手段】
【０００９】
本考案は、一枚の箱体形成片から成り、前記箱体形成片は、互いに平行に連接された複数の側面板と、前記複数の側面板の中の端に位置する第一側面板の連接方向の端部に延設された糊付け片と、前記糊付け片の連接方向の端部に、第一破断線を介して延設された表示片とを有し、前記表示片は、第二破断線で本体部と区切られて設けられた切り取り部を有し、前記本体部及び前記切り取り部に、それぞれ被包装物に関する情報が表示され、組み立て状態で、前記糊付け片は、前記複数の側面板の中の一側面板の表面に糊付けされ、前記複数の側面板が筒体を形成し、前記表示片は、前記複数の側面板の中の１つである第二側面板の表面に重ねられ、前記切り取り部の裏面が前記第二側面板の表面に糊付けされ、前記第一及び第二破断線を破断させ、前記表示片の前記本体部を前記筒体から切り離すことにより、前記本体部を表示カードとして使用できる表示カード付き包装箱である。
【００１０】
前記表示片の本体部及び切り取り部の双方に、少なくとも被包装物に関する共通の情報が表示されている。また、前記表示片の本体部の端部には、前記筒体の一方の開口部を超えて突出する摘み部が、折罫線を介して設けられている。
【考案の効果】
【００１１】
本考案の表示カード付き包装箱は、表示片の本体部を筒体から容易に切り離すことができ、使い勝手のよい表示カードを得ることができる。しかも、表示片は、組み立て状態で、特定箇所が第二側面板に糊付けされているので、筒体の表面に安定に保持される。
【００１２】
また、筒体から表示カード（表示片の本体部）を切り離しても筒体に穴が開かないので、ゴミが侵入しやすくはならない。また、表示カードと切り取り部の両方に、包装箱毎に付与される個別情報（被包装物の製造番号、製造時期、使用期限等）を表示しておくことによって、表示カードが切り離された後の箱体にも重要な情報が残る。したがって、表示カードが切離された後の箱体でも、被包装物の保管を良好に行うことができる。
【００１３】
また、包装箱毎に付与される個別情報（被包装物の製造番号、製造時期、使用期限等）の表示は、被包装物を包装する工程の中でレーザーマーキング装置やインクジェットプリンタ等を用いて記入されるケースがあるが、本考案の表示カード付き包装箱は、表示片の本体部及び切り取り部が１つの平坦面上にあるので、効率よく印刷することができる。
【図面の簡単な説明】
【００１４】
【図１】本考案の表示カード付き包装箱の一実施形態の組み立て状態の外観を示す斜視図である。
【図２】この実施形態の表示カード付き包装箱の箱体形成片を表面側から見た展開図である。
【図３】この実施形態の表示カード付き包装箱の組み立て工程を示す斜視図である。
【図４】この実施形態の表示カード付き包装箱を開封し、筒体から表示片の本体部（表示カード）を切り離した状態を示す斜視図である。
【考案を実施するための形態】
【００１５】
以下、本考案の表示カード付き包装箱の一実施形態について、図面に基づいて説明する。この実施形態の表示付き包装箱１０は、図１に示すように、医薬品を包装するための略直方体の箱で、厚紙等で成る一枚の箱体形成片１２を組み立てることによって形成される。
【００１６】
箱体形成片１２は、図２に示すように、互いに平行に連接された４つの側面板１４，１６，１８，２０を有している。４つの側面板１４，１６，１８，２０は、連接方向と直交する幅方向の長さが同じで、連接方向の長さは、側面板１４，１８が短くて互いにほぼ等しく、側面板１６，２０が長くて互いにほぼ等しい。さらに、連接方向の側面板２０側の端部には、組み立て状態で側面板１４の裏面の端部に糊付けされる糊付け片２２が延設されている。４つの側面板１４，１６，１８，２０及び糊付け片２２は、各々折罫線２４，２６，２８，３０で区切られている。以下、４つの側面板の中の、一方の端に位置する側面板２０を第一側面板２０、反対側の端に位置する側面板１４を第二側面板１４と称する。
【００１７】
第二側面板１４の、連接方向に対して直角方向の一端部には、台形状のサイドフラップ３２が延設され、折罫線３４で第二側面板１４と区切られている。サイドフラップ３２の中央部のやや側面板１６寄りの位置には、略円形の糊付け部３６が、半切り線３６ａで囲まれて設けられている。また、第二側面板１４の反対側の端部には、サイドフラップ３８が延設され、折罫線４０で第二側面板１４と区切られている。
【００１８】
側面板１６の、折罫線３４に連続する端辺４２の内側には、使用者が開封する際に指で押圧する開封用押圧部４４が設けられている。開封用押圧部４４は、端辺４２の中央部とＵ字状の破断線４６に囲まれて周囲と区切られている。
【００１９】
また、側面板１６の、端辺５６と反対側の端部には、台形状の内側底片４８が延設され、折罫線５０で側面板１６と区切られている。内側底片４８の延出方向長さは、第二側面板１４の連接方向長さより短い。さらに、側面板１６の、折罫線５０側の端部の内側には、使用者が箱体を廃棄する際に指で押圧する分解用押圧部５２が設けられている。分解用押圧部５２は、折罫線５０と円弧状の破断線５４に囲まれて周囲と区切られている。
【００２０】
側面板１８の、端辺４２に連続する端部には、台形状のサイドフラップ５６が延設され、折罫線５８で側面板１８と区切られている。また、側面板１６の反対側の端部には、サイドフラップ６０が延設され、折罫線６２で側面板１８と区切られている。
【００２１】
第一側面板２０の、折罫線５８に連続する端部には、略長方形の蓋片６４が延設され、折罫線６６で第一側面板２０と区切られている。蓋片６４の延出方向長さは、第二側面板１４の連接方向長さとほぼ同じである。蓋片６４の先端部には、差し込み片６８が延設され、折罫線７０で蓋片６４と区切られて設けられている。
【００２２】
また、第一側面板２０の、蓋片６４と反対側の端部には、台形状の外側底片７２が延設され、折罫線７４で第一側面板２０と区切られている。外側底片７２の延出方向長さは、第二側面板１４の連接方向長さと同じか、又は僅かに短い。
【００２３】
糊付け片２２の、第一側面板２０と反対側の端部には、略長方形の表示片７６が延設され、第一破断線７８で糊付け片２２と区切られている。表示片７６の大きさは、表示片７６と糊付け片２２とを合わせた大きさが第二側面板１４とほぼ同じになるように設定されている。表示片７６は、折罫線６６を延長した側の端部に、摘み部８０が設けられ、折罫線８２で他の部分と区切られている。摘み部８０の、折罫線８２からの延出方向長さは、サイドフラップ３２とほぼ同じである。また、表示片７６の、摘み部８０と反対側の端部からやや内側の位置に、略四角形の切り取り部７６ａが設けられ、第二破断線８４で他の部分と区切られている。以下、表示片７６の、切り取り部７６以外の部分（摘み部８０を含む）を本体部７６ｂと称する。
【００２４】
次に、箱体形成片１２の表面の表示について説明する。表示片７６の本体部７６ｂの、摘み部８０に近い位置には、「頭痛薬（薬の内容）」「SGK01A（薬の名称）」「500錠（10錠×50）」の文字から成る表示Ａ１が印刷されている。本体部７６ｂの、切り取り部７６ａに近い位置には、「2016.7（薬の製造時期）」「SGK01A（薬の名称）」の文字から成る表示Ａ２が印刷されている。切り取り部７６ｂには、ＧＳ１データバー等のバーコードから成る表示Ａ３が印刷されている。このバーコードには、薬の識別情報の他、少なくとも、薬の製造時期、製造番号又は使用期限等、被包装物の製造履歴やその他被包装物に関する情報が含まれている。
【００２５】
また、第二側面板１４の、サイドフラップ３２に近い位置には、「頭痛薬（薬の内容）」「SGK01A（薬の名称）」「500錠（10錠×50）」の文字から成る表示Ｂ１が印刷されている。第二側面板１４の、ほぼ中央部には、「開封済」の文字から成る表示Ｂ２が印刷されている。
【００２６】
なお、図２では、組み立て前の箱体形成片１２に、表示Ａ１，Ａ２，Ａ３，Ｂ１，Ｂ２がすべて印刷されるように描いてあるが、箱体形成片１２の状態で印刷するのは表示Ａ１，Ｂ１，Ｂ２だけにして、表示Ａ２，Ａ３は、箱体形成片１２を組み立てる工程で印刷してもよい。表示Ａ２，Ａ３は、箱体毎に付与される情報、すなわち被包装物の製造履歴等を示す情報が含まれているので、箱体形成片１２を製造する工程で印刷するよりも、被包装物を包装する工程で箱体毎に印刷する方が、箱体形成片１２の管理が容易になる。
【００２７】
次に、表示カード付き包装箱１０の組み立て方法の一例を説明する。ここでは、組み立て前の箱体形成片１２には、表示Ａ１，Ｂ１，Ｂ２だけが印刷されているとする。以下、箱体形成片１２の表面が凸になる折り方を正折り、裏面が凸になる折り方を逆折りと称して説明する。
【００２８】
まず、折罫線３０を正折りして、糊付け片２２及び表示片７６を第一側面板２０に重ね、糊付け片２２の裏面に糊８６を塗布し、表示片７６の切り取り部７６ａの裏面に糊８８を塗布し、さらにサイドフラップ３２の表面の糊付け部３６に糊９０を塗布する。そして、折罫線２６を正折りすると、糊付け片２２及び表示片７６が第二側面板１４の表面に重なり、摘み部８０がサイドフラップ３２の表面に重なるので、糊付け片２２及び切り取り部７６ａを第二側面板１４の表面に糊付けし、糊付け部３６を表示片７６の摘み部８０の表面に糊付けする。箱体形成片１２は、この折り畳まれた状態で出荷される。
【００２９】
次に、被包装物である医薬品を包装する工場等で立体的に組み立てる。まず、折罫線２４，２６，２８，３０を各々９０度に正折りし、四角形の筒体９２を形成する。その後、筒体９２の一端部を塞ぐため、折罫線４０，６２でサイドフラップ３８，６０を各々９０度に正折りし、折罫線５０で内側底片４８を９０度に正折りする。その後、外側底片７２の裏面中央部に糊を塗布し、外側底片７２を折罫線７３で９０度に正折りし、内側底片６２の表面に重ねて糊付けすることによって、外側底片４０と内側底片６２が一体になった底部が形成され、図３に示すように、筒体９２の一端部が閉鎖された状態になる。第二側面板１４の表示Ｂ１，Ｂ２は、表示片７６の本体部７６ｂに覆われるので、外からは見えない。表示片７６の摘み部８０は、サイドフラップ３２と一体になり、筒体９２の開口部を超えて突出する。そして、この状態で、筒体９２の開放している側の端部から、被包装物である医薬品を中に入れる。
【００３０】
医薬品を入れると、筒体９２の開放している側の端部を塞ぐため、折罫線５８でサイドフラップ５６を９０度に正折りし、折罫線３４，８２でサイドフラップ３２及び摘み部８０を９０度に正折りする。また、差し込み片６８の表面中央部に糊９４を塗布し、折罫線７０で差し込み片６８を９０度に正折りする。次に、折罫線６６で蓋片６４を９０度に正折りするとともに、差し込み片６８を側面板１６の内側に差し込んで開封用押圧部４４の裏面に糊付けし、蓋部が形成される。そして、レーザーマーキング装置やインクジェットプリンタ等を使用し、表示片７６の本体部７６ｂに表示Ａ２を記入又は印刷するとともに、切り取り部７６ｂに表示Ａ３を記入又は印刷する。これで被包装物の包装作業が終了し、図１に示す組み立て状態になる。
【００３１】
被包装物及び表示カード片付き包装箱１０は、図１に示す状態で出荷され、薬局や病院等に納品される。表示片７６は、切り取り部７６ａが第二側面板１４にしっかり糊付けされて固定され、さらに、摘み部８０がサイドフラップ４２に仮固定されている（半切り線３６ａに囲まれた糊付け部３６に糊付けされている）ので、輸送等される過程で切離したりブラブラしたりしない。
【００３２】
使用者が表示カード付き包装箱１０の蓋部を開封するときは、まず、側面板１６の開封用押圧部４４を指で押して破断線４６を破断させ、開封用押圧部４４を側面板１６から分離させる。そして、差し込み片６８及び蓋片６４を引き上げ、サイドフラップ５６を引き上げ、さらに、サイドフラップ３２及び摘み部８０を引き上げる。すると、蓋片６４等で塞がれていた筒体９２の一端部が広く開放し、中の被包装物を取り出すことができる。開封用押圧部４４は、側面板１６から分離するが、差し込み片６８に糊付けされているのでゴミにはならない。
【００３３】
次に、表示カード付き包装箱１０から表示カードを分離させる。まず、摘み部８０の２つの先端角部のうち、第一破断線７８に近い側の角部８０ａ（目印となるハッチングが印刷された部分）を指で摘まみ、サイドフラップ３２及び第二側面板１４から引き離すように引っ張る。すると、図４に示すように、サイドフラップ３２の糊付け部３６は、半切り線３６ａの内側部分の表層が剥がれることによって摘み部８０がサイドフラップ３２から分離し、さらに、第一及び第二破断線７８，８４が破断することによって、摘み部８０を含む本体部７６ｂが筒体９２から分離し、表示カード９６となる。表示片７６の切り取り部７６ａは、第二側面板１４にしっかり糊付けされているので、筒体９２の表面に残る。また、筒体９２の、本体部７６ｂが無くなった部分は、第二側面板１４があるので穴が開いた状態にはならず、ゴミが侵入しやすくなるという問題は発生しない。
【００３４】
切り離された表示カード９６には、「頭痛薬（薬の内容）」「SGK01A（薬の名称）」「500錠（10錠×50）」の文字である表示Ａ１と、「2016.7（薬の製造時期）」「SGK01A（薬の名称）」の文字である表示Ａ２が表示される。一方、表示カード９６が取り除かれた箱体９８には、「頭痛薬（薬の内容）」「SGK01A（薬の名称）」「500錠（10錠×50）」の文字である表示Ｂ１と、「開封済」の文字である表示Ｂ２と、バーコード（薬の識別情報、薬の製造時期、製造番号、使用期限等、被包装物の製造履歴やその他被包装物に関する情報）である表示Ａ３が表示される。
【００３５】
このように、包装箱毎に付与される個別情報は表示Ａ２と表示Ａ３に含まれ、互いに分離した表示カード９６と箱体９８の双方に表示されることになる。したがって、医薬品を箱体９８から取り出して調剤棚で保管する場合、表示カード９６を使用することによって、医薬品の生産履歴のトレースや使用期限等の管理を適切に行うことができる。また、箱体９８を用いて残りの医薬品を保管する場合も同様に、適切に管理を行うことができる。さらに、箱体９８には、開封したことを示す「開封済」の文字が表示されるので、未開封のものと容易に識別することができる。
【００３６】
その後、箱体９８を廃棄するときは、側面板１６の分解用押圧部５２を指で押して破断線５４を破断させ、開封用押圧部５２を側面板１６から分離させ、底部を分解する。これで、底片（内側底片４８及び外側底片７２）とフラップ３８，６０を引き上げることができ、箱体９８を平坦に折り畳んでコンパクトに廃棄することができる。
【００３７】
以上説明したように、表示カード付き包装箱１０は、表示片７６の本体部７６ｂを筒体９２から容易に切り離すことができ、使い勝手のよい表示カード９６を得ることができる。しかも、表示片７６は、組み立て状態で、特定箇所が第二側面板１４に糊付けされているので、筒体９２の表面に安定に保持される。
【００３８】
また、筒体９２から表示カード９６を切り離しても筒体９２に穴が開かないので、ゴミが侵入しやすくはならない。また、表示片７６の本体部７６ｂと切り取り部７６ａの両方に、包装箱毎に付与される共通の個別情報（被包装物の製造番号、製造時期、使用期限等）のうちの少なくとも一部が表示されるので、表示カード９６が切り離された箱体９８にも重要な情報を残すことができる。したがって、表示カード９６が切り離された箱体９８でも、被包装物の保管を良好に行うことができる。
【００３９】
また、包装箱毎に付与される個別情報（被包装物の製造番号、製造時期、使用期限等）の表示は、被包装物を包装する工程の中でレーザーマーキング装置やインクジェットプリンタ等を用いて記入又は印刷されるが、表示カード付き包装箱１０は、表示片７６の本体部７６ｂ及び切り取り部７６ａが１つの平坦面上にあり、しかも近接しているので、非常に効率よく記入又は印刷することができる。
【００４０】
なお、本考案の表示カード付き包装箱は、上記実施形態に限定されるものではない。例えば、上記実施形態において、表示Ａ１，Ａ２，Ａ３，Ｂ１，Ｂ２の内容は、自由に変更することができる。例えば、上記の表示Ａ２は、調剤棚の管理者が内容を目で読み取れるようにするため、「2016.7（薬の製造時期）」「SGK01A（薬の名称）」の文字にしているが、バーコード・リーダが使用される場合、表示Ａ３と同じ内容のバーコードを表示するようにしてもよい。また、表示カード付き包装箱１０は医薬品の包装に使用さするため、表示Ａ２，Ａ３として被包装物の製造履歴を示す情報を表示することによって、医薬品の生産履歴のトレースや使用期限等の管理をしやすくしているが、例えば、使用期限等の厳密な管理が不要な物（例えば、医薬品や食品以外の物）を包装する場合は、異なる情報を表示してもよい。
【００４１】
上記実施形態では、表示Ａ２，Ａ３を、組み立て工程の中でレーザーマーキング装置やインクジェットプリンタ等を用いて記入又は印刷しているが、これ以外の方法で表示してもよい。例えば、表示Ａ２，Ａ３を印刷したシール（片面に粘着層が設けられた紙片等）を用意し、組み立て工程の中でシールを貼り付ける方法で表示してもよい。あるいは、組み立て工程の中で表示するのではなく、組み立て前の箱体形成片の状態で表示されているようにしてもよい。
【００４２】
表示片７６の摘み部８０は、サイドフラップ３２の糊付け部３６に仮固定される構成になっているが、仮固定する必要がなければ、糊付け部３６を省略してもよい。また、表示片７６の本体部７６ｂを切り離す操作に支障がなければ、摘み部８０を省略してもよい。
【００４３】
各部材の形状等は自由に変更可能である。また、組み立て状態で、糊付け片が糊付けされる側面板は、表示片７６が重なる第二側面板とは異なる側面板であってもよい。その他、天蓋部と底部の構成は、自由に変更することができる。
【符号の説明】
【００４４】
１０  表示カード付き包装箱
１２  箱体形成片
１４  第二側面板
１６，１８  側面板
２０  第一側面板
２２  糊付け片
７６  表示片
７６ａ  切り取り部
７６ｂ  本体部
７８  第一破断線
８０  摘み部
８２  折罫線
８４  第二破断線
９２  筒体
９６  表示カード
９８  箱体
【図１】
0003206200.tif 000003
【図２】
0003206200.tif 000004
【図３】
0003206200.tif 000005
【図４】
0003206200.tif 000006